(57)【要約】      （修正有）【課題】リフォーム時に生じる折戸用下枠の段差を低減させる浴室折戸のリフォーム下枠を提供する。【解決手段】既存のドア下枠１の上段側に配する第一の下枠材３０と、既存のドア下枠の下段側に配する第二の下枠材４０とからなり、第一の下枠材は、既存のドア下枠の上段水平面２に近接または当接させて配する水平面３１と、既存のドア下枠の上段垂直面３に当接ないし対向させる垂直面３２と、可撓性のある防水シールとを備える。第二の下枠材は、既存のドア下枠の下段水平面４に当接させる水平面４１と、当該水平面の端部に設けた案内レール壁４２と、既存のドア下枠の下段垂直面５に当接または対向させる垂直面４４とを備える。下枠材を二つに分離してあるため、最上部に位置する第一の下枠材の水平面は、既存のドア下枠の上段水平面に近接または当接させて配することが出来る。【選択図】図１
0003142687.tif 000002
【実用新案登録請求の範囲】
【請求項１】
既存のドア下枠を残したまま、このドア下枠に新たに取り付ける折戸の下枠であって、
既存のドア下枠の上段側に配する第一の下枠材と、
既存のドア下枠の下段側に配する第二の下枠材とからなり、
前記第一の下枠材は、
既存のドア下枠の上段水平面に近接または当接させて配する水平面と、
この水平面の端部を折曲して、既存のドア下枠の上段垂直面に当接ないし対向させる垂直面と、
この垂直面に配した可撓性のある防水シールとを備え、
前記第二の下枠材は、
既存のドア下枠の下段水平面に当接させる水平面と、
当該水平面の端部から略垂直に立ち上げた案内レール壁とを備えることを特徴とする浴室折戸のリフォーム下枠。
【請求項２】
第二の下枠材は、
案内レール壁と反対側の水平面の端部に、既存のドア下枠の下段垂直面に当接または対向させるよう立ち下げた垂直面を備えることを特徴とする請求項１記載の浴室折戸のリフォーム下枠。
【請求項３】
防水シールは、複数枚の弾性樹脂片によって構成し、少なくとも、最も上に位置する弾性樹脂片が上向きになるよう配設することを特徴とする請求項１または請求項２記載の浴室折戸のリフォーム下枠。
【考案の詳細な説明】
【技術分野】
【０００１】
本考案は、浴室の折戸の下枠に係り、とくに既存のドア下枠を残したまま、リフォームを行うための浴室折戸の下枠に関する。
【背景技術】
【０００２】
住宅における浴室のドアは、従来、パネル状の開閉ドアが主流である。しかし、従来の開閉ドアは、ドアを開けたときにドアが浴室内に侵入するため、高齢者や身障者など、介護入浴を行うには浴室スペースが狭くなる等の難点があった。
【０００３】
そこで、介護が必要な高齢者等が居住する住宅では、開閉時に浴室スペースを狭めない折戸を採用することが望まれ、旧来の開閉ドアを新しい折戸にリフォームする要請が高まっている。
【０００４】
図６、図７は、旧来の開閉ドアの下枠１を残したまま、折戸の下枠６を取り付ける従来のリフォーム構造を例示するものである。
【０００５】
まず、旧来の開閉ドアの下枠１は、脱衣場の床に接する上段水平面２と、開閉ドアの位置決めストッパとなる上段垂直面３と、開閉ドアの下端を案内する下段水平面４と、浴室の床面まで立ち下げた下段垂直面５とを備える。
【０００６】
一方、従来、リフォーム時に取り付ける折戸の下枠６は、全体が一体成形され、上段水平面７、上段垂直面８、下段水平面９、下段垂直面１０を備え、上段垂直面８の上部の防水シール装着部１１には、図８に示すように防水シール１２が配される。この防水シール１２は、基端から先端に向かってやや下降させて配されている。１４は、レールである。
【０００７】
そして、この下枠６を取り付けるときには、既存の開閉ドアの下枠１の下段垂直面５と、下枠６の下段垂直面１０とを略当接させ、下段垂直面１０の外側からビスを打ち込んで、下段垂直面５に固定する（図７参照）。
【特許文献１】なし
【考案の開示】
【考案が解決しようとする課題】
【０００８】
問題は、リフォーム時に取り付ける折戸の下枠６の上段垂直面８の上下寸法が大きいために、下枠６の上段水平面７が、旧来の開閉ドアの下枠１の上段水平面２から離れた高い位置に存在し、段差を生じさせる点にある。
【０００９】
下枠６の上段水平面７と、旧来の開閉ドアの下枠１の上段水平面２との離隔寸法（段差）Ｗは、一般に、１０〜２０ｍｍ程度となっている。
【００１０】
このような段差が生じる理由は、リフォーム時に取り付ける折戸の下枠６が、広く普及している専用の折戸下枠をそのまま用いるためである。
【００１１】
段差Ｗは、平均１５ｍｍ程度であり、リフォームを行う業者からすれば浴室のドアを変更するにはやむを得ない段差であると考えられているが、介護を要するような足腰の弱い高齢者や身障者にとっては、この段差Ｗを乗り越えて浴室を出入りすることが非常に辛いハードルになる。
【００１２】
そこで、本考案の目的は、リフォーム時に生じる折戸用下枠の段差を低減させる点にある。
【課題を解決するための手段】
【００１３】
前記目的を達成して、課題を解決するため、本考案に係る浴室折戸のリフォーム下枠は、既存のドア下枠の上段側に配する第一の下枠材と、既存のドア下枠の下段側に配する第二の下枠材とからなり、前記第一の下枠材は、既存のドア下枠の上段水平面に近接または当接させて配する水平面と、この水平面の端部を折曲して、既存のドア下枠の上段垂直面に当接ないし対向させる垂直面と、この垂直面に配した可撓性のある防水シールとを備え、前記第二の下枠材は、既存のドア下枠の下段水平面に当接させる水平面と、当該水平面の端部から略垂直に立ち上げた案内レール壁とを備える（請求項１）。第二の下枠材には、案内レール壁と反対側の水平面の端部に、既存のドア下枠の下段垂直面に当接または対向させるよう立ち下げた垂直面を設ける場合がある（請求項２）。
【００１４】
本願考案に係るリフォーム下枠は、二つの下枠材によって構成し、それぞれの下枠材を既存のドア下枠の上段側と下段側とに配する。
【００１５】
下枠材を二つに分離してあるため、過度に上下寸法が大きかった従来の折戸の下枠６と異なり、最上部に位置する第一の下枠材の水平面は、既存のドア下枠の上段水平面に近接または当接させて配することが出来る。第一の下枠材の垂直面の上下寸法を小さく設定できるからである。
【００１６】
この結果、リフォーム後の折戸下枠は、上下方向の段差を生じることがなく、いわゆるバリアフリーの構造となって、足腰の弱い高齢者や身障者の入浴時の困難を解消する。
【００１７】
請求項３は、第一の下枠材に設ける防水シールに関するものである。防水性能を高めるため、複数枚の弾性樹脂片によって構成する防水シールは、少なくとも、最も上に位置する弾性樹脂片が上向きになるよう配設する。
【００１８】
従来の、折戸用の下枠の防水シールは、先端に向かって下降気味に設置されている（図８参照）。これは、リフォームにも用いられる折戸下枠が、もともと、浴室の折戸用の専用部材として作られたためである。つまり、リフォーム時に生ずるような段差の問題を予定していない。しかし、旧来の下枠を残しながら、リフォーム時に折戸用の下枠を配するときには、旧来の防水シール構造のままでは、脱衣場の床面に水が漏出しやすい問題が残る。そこで請求項３のように、防水シールを上向きにすることで、浴室外への水漏れを防止する。
【考案の効果】
【００１９】
本考案に係る浴室折戸のリフォーム下枠によれば、リフォーム時に生じた折戸用下枠の段差を確実に解消することが出来る。
【考案を実施するための最良の形態】
【００２０】
図１〜図３は、本考案に係る浴室折戸のリフォーム下枠の一実施形態を示すものである。
【００２１】
このリフォーム下枠２０は、既存のドア下枠１の上段側（上段水平面２および上段垂直面３）に配する第一の下枠材３０と、既存のドア下枠１の下段側（下段水平面４および下段垂直面５）に配する第二の下枠材４０とによって構成する。
【００２２】
第一の下枠材３０は、既存のドア下枠１の上段水平面２に近接させて配する水平面３１と、この水平面３１の端部を折曲して、既存のドア下枠１の上段垂直面２に対向する垂直面３２とを備える。
【００２３】
この実施形態では、水平面３１の一般面が、既存のドア下枠１の上段水平面２から数ミリ程度離隔するよう、既存のドア下枠１の上段水平面２に接する支持脚３７を備えている。この支持脚３７は、水平面３１の浴室側の端縁を折曲して成形したものである。折曲成形する支持脚３７により、水平面３１の浴室側の端縁の角隅部が滑らかに湾曲するので、入浴者が足をぶつけて皮膚を傷つける等の事故を防止できる。
【００２４】
垂直面３２には、図４に示すように、防水シール３３を設ける。防水シール３３は、垂直面３２の一部を断面略Ｃ字状に構成した防水シール装着部３４を介して取り付ける。防水シール３３は、防水機能を高めるため、複数枚の弾性樹脂片によって構成し、最も上に位置する弾性樹脂片を含めて全体が基端から先端に向かって上向きになるよう配設しておく。特に大事なのは、最も上の弾性樹脂片３３−１が上向きであることである。この実施形態では、上から二番目の弾性樹脂片を断面略Ｔ字状に成形し、先端部に上下方向に延びる弾性樹脂片３３−２を配することによって防水機能を高めた。
【００２５】
この第一の下枠材３０は、既存のドア下枠１の上段水平面２に接する支持脚３７を備えており、既存のドア下枠１の上段垂直面３の上下寸法は限られている。このため、防水シール装着部３４の下方に、寸法の大きな垂直面３２を設けることは避ける。図１〜図３には、防水シール装着部３４の下方に若干の垂直面３２を例示したが、この部分（３２）も機能上は必要ではない。
【００２６】
この実施形態では、垂直面３２が、既存のドア下枠１の上段垂直面３から若干の離隔をもって対向するケースを例示した。この場合は、垂直面３２と既存のドア下枠１の上段垂直面３との間に、断面略ロ字状のアジャスタ３８を配するとともに、このアジャスタ３８の下に、例えば、弾性樹脂からなるスペーサ３９を設けて、アジャスタ３８の直上からビス（図示せず）を打ち込んで第一の下枠材３０を既存のドア下枠１に固定する。
【００２７】
第二の下枠材４０は、既存のドア下枠１の下段水平面４に当接させる水平面４１と、当該水平面４１の端部を略垂直に立ち上げた案内レール壁４２と、既存のドア下枠１の下段垂直面５に対向する垂直面４４とを備える。
【００２８】
この第二の下枠材４０は、案内レール壁４２が部材の端末に位置しているので、既存のドア下枠１の下段水平面４のどの位置にでも取り付け可能である。折戸のレール幅は一定であるから、第一の下枠材３０の設置位置に対応して、最も好ましい位置に案内レール壁４２が位置するよう、第二の下枠材４０の取り付け位置を決定する。第二の下枠材４０の上下寸法等は、従来の折戸下枠と同様であって構わない。
【００２９】
この実施形態では、例えば、第二の下枠材４０の垂直壁４０からビス４６を打ち込んで、既存のドア下枠１の下段垂直面５に固定する。この場合も、必要に応じて断面略ロ字状のアジャスタ４８を配して位置調整を行うことが望ましい。
【００３０】
従って、かかるリフォーム下枠２０によれば、下枠を二つの部材（３０、４０）によって構成したため、そのいずれもが、不要部分を削除して既存のドア下枠１の上下寸法に見合う上下寸法に成形可能となった。
【００３１】
このため、とくに、既存のドア下枠１の上段側（上段水平面２および上段垂直面３）に配する下枠材３０の段差を解消することが出来、高齢者や身障者でも浴室と脱衣場の段差を心配することなく安全かつ快適に入浴することが出来る。
【００３２】
また、防水シール３３は、複数枚の弾性樹脂片によって構成し、最も上に位置する弾性樹脂片を含めて全体が基端から先端に向かって上向きになるよう配設したので、既存のドア下枠１が残っているリフォーム後であっても、折戸の動きによる脱衣場への漏水は確実に防止できる。
【００３３】
なお、本考案に係る浴室折戸のリフォーム下枠は、前記実施例の構成に限定されない。例えば、支持脚３７は、水平面３１の浴室側の端縁によって入浴者が足を傷つけないようにするためのものであるが、水平面３１の浴室側の端縁を研磨して断面を滑らかな曲線に成形すれば、入浴者の足を傷つけることもない。従って、水平面３１の浴室側の端縁を滑らかに研磨成形する場合には、支持脚３７は必要がなくなるので、水平面３１の裏面を、既存のドア下枠１の上段水平面２に当接させてもよい。
【００３４】
また、前記実施形態では、垂直面３２が、既存のドア下枠１の上段垂直面３から若干の離隔をもって対向するケースを例示した。しかしながら、本考案に係る浴室折戸のリフォーム下枠は、二つの部材に分けて配設するので、第一の下枠材３０の配設位置と、第二の下枠材４０の配設位置とは、互いの相関関係で可変できる。従って、実施形態とは異なり、第一の下枠材３０にアジャスタ３８を設けるが、第二の下枠材４０にもアジャスタ４８を設けない場合もあり、逆に、第一の下枠材３０にアジャスタ３８を設けず、第二の下枠材４０にもアジャスタ４８を設ける場合もある。
【００３５】
図５に示すように、第一の下枠材３０にも第二の下枠材４０にも、アジャスタ３８、４８を設けないことも可能である。
【００３６】
この図５に示す下枠材は、第一の下枠材３０の垂直面３２の裏面を、既存のドア下枠１の上段垂直面３に当接させる一方、第二の下枠材４０は、水平面４１と案内レール壁４２とによって構成する。第二の下枠材４０は、前記実施形態のように垂直面４４をもたないので、既存のドア下枠１の下段水平面４の上に、水平面４１を載せ、水平面４１の上から必要箇所をビス止めするだけで良い。
【００３７】
このようにすれば、部品点数を軽減し、省略した垂直面４４の分の原材料コストや製造コストも削減できるため、リフォームに要する費用を確実に低減できる。また第二の下枠材４０から垂直面４４を省くため、第二の下枠材４０が小さく軽量となって扱いやすくなり、保管、輸送、搬入、撤去の格段において作業効率が高まる。
【００３８】
下枠材３０、４０の固定は、ビス固定（ネジ固定）が望ましいが、ビスを打ち込む箇所は限定されない。水平面から打ち込んでも良いし、垂直面から打ち込んでもよいからである。
【図面の簡単な説明】
【００３９】
【図１】実施形態に係るリフォーム下枠の取付前の状態を例示する斜視図である。
【図２】図１の状態から第一の下枠材を取り付けた状態を例示する図である。
【図３】図２の状態から第二の下枠材を取り付けた状態を例示する図である。
【図４】実施形態に係るリフォーム下枠の防水シールを拡大して示す図である。
【図５】第二の実施形態に係るリフォーム下枠を例示する図である。
【図６】従来のリフォーム下枠の取付前の状態を例示する図である。
【図７】従来のリフォーム下枠の取付後の状態を例示する図である。
【図８】従来のリフォーム下枠の防水シールを拡大して示す図である。
【符号の説明】
【００４０】
１  既存のドア下枠
２  （既存のドア下枠の）上段水平面
３  （既存のドア下枠の）上段垂直面
４  （既存のドア下枠の）下段水平面
５  （既存のドア下枠の）下段垂直面
１４  レール
２０  リフォーム下枠
３０  第一の下枠材
３１  （第一の下枠材の）水平面
３２  （第一の下枠材の）垂直面
３３  防水シール
３３−１、３３−２  弾性樹脂片
３７  支持脚
３４  防水シール装着部
３８  （第一の下枠材の）アジャスタ
３９  スペーサ
４０  第二の下枠材
４１  （第二の下枠材の）水平面
４２  案内レール壁
４４  （第二の下枠材の）垂直面
４６  ビス
４８  （第二の下枠材の）アジャスタ
【図１】
0003142687.tif 000003
【図２】
0003142687.tif 000004
【図３】
0003142687.tif 000005
【図４】
0003142687.tif 000006
【図５】
0003142687.tif 000007
【図６】
0003142687.tif 000008
【図７】
0003142687.tif 000009
【図８】
0003142687.tif 000010